(57)【要約】      （修正有）【課題】商品同士の接触による傷付きや破損を防止し、クッション性に優れ、箱内における収納物の転がりを抑制することができる仕切体を提供する。【解決手段】仕切体１は、外縁２及び内縁３を有する枠状形状のシート材からなる。内縁３の各頂点近傍から対応する外縁２の各頂点を構成する二辺に垂設される谷折り予定線４と、各対の谷折り予定線４のうち平行に隣接する２本の谷折り予定線４の中央にこれと平行に配設される山折り予定線５と、各対の谷折り予定線４間に形成される四隅の略方形の底面部６と、四隅の底面部６間に連接され、４本の山折り予定線５及びその左右の谷折り予定線４間に形成される壁面部７とを備える。この壁面部７のうちの少なくとも１つから延設され、その壁面部７を構成する谷折り予定線４の内縁３側から隣接する底面部６に延出する舌片状の底支持部８を有する。【選択図】図１
0003177073.tif 000002
【実用新案登録請求の範囲】
【請求項１】
１枚のシート材からなり、箱内で球状の収納物の移動を規制する仕切体であって、
略矩形の外縁及び略正方形の内縁を有する枠状形状に形成されており、
上記内縁の各頂点近傍から対応する外縁の各頂点を構成する二辺に垂設される４対の谷折り予定線と、
各対の谷折り予定線のうち平行に隣接する２本の谷折り予定線の中央にこれと平行に配設される４本の山折り予定線と、
上記各対の谷折り予定線間に形成される四隅の略方形の底面部と、
上記四隅の底面部間に連接され、４本の山折り予定線及びその左右の谷折り予定線間に形成される４対の壁面部と
を備えており、
上記４対の壁面部のうちの少なくとも１つから延設され、その壁面部を構成する谷折り予定線の内縁側から隣接する底面部に延出する舌片状の底支持部を有していることを特徴とする仕切体。
【請求項２】
上記底支持部が、対向する２対の壁面部から延設されている請求項１に記載の仕切体。
【請求項３】
上記底支持部が、隣接する底面部に加え、その壁面部を構成する内縁側及びその底面部に隣接する他の壁面部にも延出する請求項２に記載の仕切体。
【請求項４】
上記底支持部が、延出外縁に切り込みを有し、延設する壁面部との間に弱化線を有していない請求項１、請求項２又は請求項３に記載の仕切体。
【請求項５】
上記４対の壁面部の外縁が、それらの中央の山折り予定線方向に向かって内方に傾斜している請求項１から請求項４のいずれか１項に記載の仕切体。
【請求項６】
上記４対の壁面部のうちの対向する２対の壁面部の内縁から突設され、その１対の壁面部の山折り予定線よりに形成される一対の係合片を有している請求項１から請求項５のいずれか１項に記載の仕切体。
【請求項７】
箱と、
山折り予定線及び谷折り予定線で山折り及び谷折りに折り込まれ、上記箱内に収納される請求項１から請求項６のいずれか１項に記載の仕切体と
を備える球体収納箱。
【考案の詳細な説明】
【技術分野】
【０００１】
本考案は、仕切体及びこれを備える球体収納箱に関する。
【背景技術】
【０００２】
従来、複数の商品をまとめて箱の中に収納する場合、輸送中に箱内で商品同士が接触して傷付いたり破損したりしないように緩衝材が用いられることが多い。このような緩衝材としては、一般的に、加工が容易でありコストが低い観点等から段ボールシートや厚紙等からなる仕切体が広く用いられている。
【０００３】
西瓜やメロン等の比較的大型で転がりやすい球状の商品を収納する仕切体としては、例えば長方形の段ボールシートの中央部に短辺と平行な頂部形成用折曲げ線を有し、且つこの頂部形成用折曲げ線の両側板に上記短辺と平行な両側折曲げ線が形成され、この両側折曲げ線の外側に果実類受片が連設された仕切体が提案されている（特許第２７５６４２９号公報）。この仕切体は、両側板を果物の間に挿入することにより果物同士の接触による傷付きや破損を防ぐと同時に、段ボールシートを２重段ボールシートとし、さらにライナー及び中芯の紙厚を上段よりも下段の方を厚くし、中芯の波型ピッチ及び波高を下段よりも上段の方を大きくすることによりクッション性を向上させている。
【０００４】
しかしながら、西瓜やメロン等の果物は、自重が重いため上下方向の衝撃に弱く、低い位置からの落下によっても容易に破損してしまう。そのため、上記従来技術では、クッション性が未だ不十分である。
【０００５】
また、上記従来技術では、両側板の弾力性を利用して果物を箱の側壁に押しつけることで、箱内における果物の転がりを防止している。しかし、果物に常に側板が当接している状態は、当接部分の擦れや圧迫による傷みを招来するおそれがあり、果物の固定方法としては再考の余地がある。
【先行技術文献】
【特許文献】
【０００６】
【特許文献１】特許第２７５６４２９号公報
【考案の概要】
【考案が解決しようとする課題】
【０００７】
本考案はこれらの事情に鑑みてなされたものであり、商品同士の接触による傷付きや破損を防止することができ、上下方向のクッション性に優れ、箱内における収納物の転がりを抑制することができる仕切体の提供を目的とするものである。
【課題を解決するための手段】
【０００８】
上記課題を解決するためになされた考案は、
１枚のシート材からなり、箱内で球状の収納物の移動を規制する仕切体であって、
略矩形の外縁及び略正方形の内縁を有する枠状形状に形成されており、
上記内縁の各頂点近傍から対応する外縁の各頂点を構成する二辺に垂設される４対の谷折り予定線と、
各対の谷折り予定線のうち平行に隣接する２本の谷折り予定線の中央にこれと平行に配設される４本の山折り予定線と、
上記各対の谷折り予定線間に形成される四隅の略方形の底面部と、
上記四隅の底面部間に連接され、４本の山折り予定線及びその左右の谷折り予定線間に形成される４対の壁面部と
を備えており、
上記４対の壁面部のうちの少なくとも１つから延設され、その壁面部を構成する谷折り予定線の内縁側から隣接する底面部に延出する舌片状の底支持部を有していることを特徴とする。
【０００９】
当該仕切体は、谷折り予定線を略直角に谷折りし、山折り予定線を山折りして組み立てることにより、４本の山折り予定線を頂辺とする４対の壁面部が立ち上がる。これにより当該仕切体を箱内に収納すると、箱内の空間を四つに分割することができる。また、当該仕切体は、組み立てることにより、舌片状の底支持部が底面部よりも下方に突出する。従って、当該仕切体を箱内に収納すると、底支持部の先端が箱の底面に当接し、当該仕切体の底面部と箱の底面との間に空間が形成されるため、上下方向に衝撃が加えられた場合には、当該仕切体の底面部が上下に撓むことができ、衝撃を効果的に吸収・緩和することができる。その結果、収納物の破損を効果的に防止することができる。加えて、当該仕切体は、底支持部が内縁側に形成されているため、底面部が当該仕切体の中央部分から外縁の各頂点に向かって傾斜する。これにより内容物は、自重及び重力によって箱の側壁方向に自然と偏るため、西瓜やメロン等の転がりやすい球状の収納物の箱内での転がりを防止することができる。また、当該仕切体は一枚のシート材からなり、上記谷折り予定線及び山折り予定線を有する点以外は通常使用されるシート材と同様であるため、加工が容易であり製造コストに優れる。加えて、当該仕切体は、谷折り予定線及び山折り予定線を折り曲げるだけで組み立てることができるため、組み立て作業が非常に簡便である。
【００１０】
上記底支持部が、対向する２対の壁面部から延設されているとよい。このように対向する２対の壁面部から底支持部が延設されていることにより、当該仕切体を組み立てた際には、互いの底支持部が対向して同じ面を向くため、底支持部の強度を向上することができる。
【００１１】
上記底支持部が、隣接する底面部に加え、その壁面部を構成する内縁側及びその底面部に隣接する他の壁面部にも延出するとよい。このように底支持部が、隣接する底面部に加え、その壁面部を構成する内縁側及びその底面部に隣接する他の壁面部にも延出することにより、壁面部の横方向へのズレを防止することができ、当該仕切体の形状安定性を向上することができる。
【００１２】
上記底支持部が、延出外縁に切り込みを有し、延設する壁面部との間に弱化線を有していないとよい。このように底支持部が、延出外縁に切り込みを有するだけで、延設する壁面部との間に弱化線を有していないことにより、底支持部の折れや屈曲を防止することができ、底支持部の強度を向上することができる。
【００１３】
上記４対の壁面部の外縁が、それらの中央の山折り予定線方向に向かって内方に傾斜しているとよい。このように４対の壁面部の外縁が、それらの中央の山折り予定線方向に向かって内方に傾斜していることにより、当該仕切体の中央部分から外縁の各頂点に向かって底面部がより傾斜しやすくなる。その結果、内容物が自重及び重力によって箱の側壁方向により偏りやすくなるため、球状の収納物の箱内での転がりをより防止することができる。
【００１４】
上記４対の壁面部のうちの対向する２対の壁面部の内縁から突設され、その１対の壁面部の山折り予定線よりに形成される一対の係合片を有しているとよい。このように一対の係合片を形成することによっても、壁面部の横方向へのズレを防止することができ、当該仕切体の形状安定性を向上することができる。
【００１５】
また、本考案の球体収納箱は、
箱と、山折り予定線及び谷折り予定線で山折り及び谷折りに折り込まれ、上記箱内に収納される上記仕切体とを備えるものである。
【００１６】
当該球体収納箱によれば、上記仕切体によって箱内の空間を四つに分割することができるため、収納物同士が接触することによる傷付きや破損を防止することができる。また、当該収納箱によれば、上記仕切体を備えることにより上下方向のクッション性に優れ、また収納物の箱内での転がりを防止することができる。その結果、輸送中の収納物の傷付きや破損を効果的に防止することができる。
【考案の効果】
【００１７】
以上説明したように、本考案の仕切体によれば、商品同士の接触による傷付きや破損を防止することができ、上下方向のクッション性に優れ、箱内における収納物の転がりを抑制することができる。従って、当該仕切体を備える球体収納箱は、西瓜やメロン等の球状の果物を収納する収納箱として好適に用いることができる。
【図面の簡単な説明】
【００１８】
【図１】本考案の一実施形態に係る仕切体を示す展開図である。
【図２】図１の仕切体を組み立てた状態を示す斜視図である。
【図３】図１の仕切体を箱に収納した収納箱を示す斜視図である。
【図４】図１の仕切体の底支持部周辺の部分拡大図である。
【図５】図１の仕切体を備える収納箱の側面断面図である。
【考案を実施するための形態】
【００１９】
以下、適宜図面を参照しつつ、本考案の実施形態を詳説する。
【００２０】
本考案の仕切体１は、図１に示すように、略矩形の外縁２及び略正方形の内縁３を有する枠状形状の１枚のシート材からなるものである。当該仕切体１は、４対の谷折り予定線４と、４本の山折り予定線５と、４つの略方形の底面部６と、４対の壁面部７とを備え、舌片状の底支持部８を有している。
【００２１】
当該仕切体１は、谷折り予定線４を略直角に谷折りし、山折り予定線５を山折りして組み立てることにより、図２に示すように、底面部６から、山折り予定線５を頂辺とする壁面部７が立ち上がる。このため、当該仕切体１を箱の中に収納することによって、箱内の空間を四つに分割することができ、収納物同士が接触することによる傷付きや破損を防止することができる。
【００２２】
また、当該仕切体１は、組み立てることによって、底支持部８が底面部６よりも下方に突出する。これにより、当該仕切体１を箱の中に収納すると、底面部６よりも下方に突出した底支持部８の先端が箱の底面に当接するため、当該仕切体１の底面部６と箱の底面との間に空間が形成される。その結果、箱の上下方向に衝撃が加えられた場合には、上記底面部６が上下に撓むことによって、衝撃を効果的に吸収・緩和することができる。
【００２３】
当該仕切体１に用いられるシート材としては、当該仕切体１の形状を維持できる程度の強度を有し、かつ折り曲げた際の適度な反発力を有していれば特に限定されず、例えば段ボールシート、厚紙等の紙製のシート材、合成樹脂製シート材、紙と合成樹脂シートの積層シート材、紙又は合成樹脂シートと金属箔の積層シート材等が挙げられる。これらの中でも、加工性、衝撃吸収性、取扱性、リサイクル性、経済性等の点から紙製のシート材が好ましく、段ボールシートがさらに好ましい。
【００２４】
上記段ボールシートとしては、特に限定されず、例えば波形状に形成された中芯原紙を１枚のライナーに貼り合わせた片面段ボールシート、片面段ボールシートの段頂にさらにライナを貼り合わせた両面段ボールシート、両面段ボールシートの片側に片面段ボールシートの段頂を貼り合わせた複両面段ボールシート、複両面段ボールシートの片側に片面段ボールシートの段頂を更に貼り合わせた複々両面段ボールシート等が挙げられる。これらの段ボールシートの中でも、加工性、経済性等の点から両面段ボールシートが好ましい。
【００２５】
また、両面段ボールシートとしては、段の種類がＡ段、Ｂ段又はＣ段であり、ライナーがＪＩＳ−Ｐ３９０２−１９９５に規定されるＡＡ級、Ａ級、Ｂ級又はＣ級であり、中芯がＪＩＳ−Ｐ３９０４−１９９４に規定されるＡ級、Ｂ級又はＣ級である両面段ボールシートが、反発力が強く、衝撃吸収性に優れる点で好ましい。
【００２６】
上記外縁２の各辺は、対向する内縁３の各辺とそれぞれ平行に位置している。上記外縁２及び内縁３の一辺の長さとしては、特に限定されず、収納物の大きさや箱のサイズ等を考慮して適宜設定すればよい。例えば、当該仕切体１のサイズは、外縁２の一辺の長さが６０ｃｍ、内縁３の一辺の長さが３０ｃｍ程度である。
【００２７】
上記谷折り予定線４は、内縁３の各頂点近傍から対応する外縁２の各頂点を構成する二辺に垂設されている。
【００２８】
上記山折り予定線５は、各対の谷折り予定線４のうち平行に隣接する２本の谷折り予定線４の中央にこれと平行となるように配設されている。
【００２９】
上記谷折り予定線４及び山折り予定線５は、線に沿って折り曲げ易くするように加工が施されており、具体的には、線に沿って罫線加工が施されているとともに、ミシン目状の切り込み（切断されている部分とされていない部分が交互に繰り返される線）が形成されている。なお、図１及び図４において、谷折り予定線４及び山折り予定線５はそれぞれ破線で示している。
【００３０】
上記底面部６は、外縁２の四隅に位置し、外縁２の各頂点を構成する２辺と各対の谷折り予定線４とで囲まれる略方形の領域によって形成されている。
【００３１】
上記壁面部７は、四隅の底面部６の間に連接され、４本の山折り予定線５とその左右の谷折り予定線４の間に挟まれる領域によって形成されている。
【００３２】
上記底支持部８は、図４の拡大図に示すように、内縁３の各頂点近傍の壁面部７から延設され、その壁面部７を構成する谷折り予定線４の内縁３側から隣接する底面部６側に延出する舌片状に形成されている。
【００３３】
上記底支持部８は、内縁３の各頂点近傍に形成されているため、当該仕切体１を組み立てて箱の中に収納すると、各底面部６が当該仕切体１の中央部分から外縁２の各頂点方向（図２の矢印で示す方向）に向かってそれぞれ傾斜する。そのため、当該仕切体１によれば、収納物が重力及び自重によって箱の四隅に自然と偏るため、箱内での転がりを抑制することができ、収納物の破損や傷付きを防止することができる。
【００３４】
上記底支持部８の延出長さＬとしては、谷折り予定線４の延長線Ｌ１から１ｃｍ以上３ｃｍ以下であることが好ましい。底支持部８の延出長さを上記範囲とすることにより、当該仕切体１のクッション性を向上することができると同時に、収納物の箱内での転がりをより防止することができる。
【００３５】
また、上記底支持部８は、隣接する底面部６に加え、その壁面部７を構成する内縁３側及びその底面部６に隣接する他の壁面部７にも延出する領域（図４の斜線で示す領域）を有している。上記底支持部８をこのような形状とすることにより、底支持部８の強度を向上し、壁面部７の横ズレを効果的に防止することができる。なお、図４の斜線は、上記底支持部８における、内縁３側及びその底面部６に隣接する他の壁面部７に延出する領域を視覚的に分かりやすくするために付した線であり、当該仕切体１の表面に実際に現れる線ではない。
【００３６】
また、上記底支持部８は、延出外縁に切り込みを有する。つまり、底支持部８と底面部９及び他の壁面部７との境界が、切り込みで形成されている。また、上記底支持部８は、延設する壁面部７との間に弱化線を有していない。このように底支持部８と延設する壁面部７との間に弱化線を有さないことにより、底支持部８の折れや屈曲を防止し、底支持部８の強度の向上を図っている。
【００３７】
また、当該仕切体１は、図１に示すように、底面部６の中央部分に十字形の切り込み９が設けられている。この十字形の切り込み９のうちの一辺は、外縁２の頂点と内縁３の頂点とを結ぶ線Ｌ２上に位置するように形成されている。このような十字形の切り込み９を設けることにより、球状の収納物の転がりを効果的に防止することができ、収納物をより安定して保持することができる。
【００３８】
上記十字形の切り込み９の長さとしては、特に限定されず、収納物のサイズによって適宜決定すればよい。例えば、当該仕切体１の十字形の切り込み９の長さは、３ｃｍ程度である。
【００３９】
当該仕切体１は、図１に示すように、上記４対の壁面部７の外縁２が、谷折り予定線４から中央の山折り予定線５方向に向かって内方に傾斜している。このように外縁２を山折り予定線５方向に向かって内方に傾斜させることにより、当該仕切体１を組み立てて箱内に収納した際には、壁面部７が外側に倒れることができ、図５に示すように底面部６の傾斜角θをより大きく取ることができる。その結果、当該仕切体１のクッション性をより向上することができると同時に、収納物の転がりをより防止することができる。
【００４０】
底面部６の傾斜角θとしては５°以上３０°以下が好ましく、１０°以上２０°以下がより好ましい。
【００４１】
当該仕切体１は、上記４対の壁面部７のうちの対向する２対の壁面部７であって、底支持部８が延出する底面部６に隣接する他の壁面部７の内縁３から突設され、その１対の壁面部７の山折り予定線５寄りに形成される一対の係合片１０を有している。当該仕切体１によれば、組み立てた場合に、上記係合片１０が壁面部７の上端側（頂辺側）に位置するため、壁面部７の倒れ込みを効果的に防止することができる。
【００４２】
また、上記係合片１０は、図１に示すように、対向する２対の壁面部７の内縁３に点対称となるように設けられており、山折り予定線５と係合片１０の側縁の一辺とが略一直線となるように形成されている。係合片１０をこのように形成することにより、壁面部７の強度を向上し、壁面部７の倒れ込みを効果的に防止することができる。
【００４３】
係合片１０の数としては、特に限定されるものではなく、収納物のサイズや箱の大きさに応じて適宜増減させることができる。上記係合片１０の幅は、特に限定されず、例えば当該仕切体１の係合片１０の幅は５ｃｍ程度である。また係合片１０の突出長さは、収納物に接触しない長さであれば特に限定されず、例えば当該仕切体１の係合片１０は、内縁３から４ｃｍ程度突出している。
【００４４】
当該仕切体１によれば、組み立てた際に、係合片１０を含む平面と上記底支持部８を含む平面とが直交するため、壁面部７をいずれの方向にも倒れ込み難くすることができ、当該仕切体１の形状保持性がより高められている。
【００４５】
次に、当該仕切体１の使用方法を含め、本考案の収納箱１１について、図３及び図５を参照しつつ説明する。
【００４６】
本考案の収納箱１１は、図３及び図５に示すように、箱１２と、この箱１２内に収納される上記仕切体１とを備える。
【００４７】
上記箱１２内に、上記仕切体１を収納する際には、仕切体１の谷折り予定線４を略直角に谷折りし、山折り予定線５を山折りに折り込んだ状態で、外縁２の各頂点が箱１２の底面の各頂点と対応するように収納する。その結果、当該仕切体１によれば、箱１２内の空間を四つに分割することができ、箱１２内で収納物Ｘ同士が接触することによる傷付きや破損を防止することができる。また、当該仕切体１の底支持部８は、底面部６よりも下方に突出するため、底支持部８の先端が箱１２の底面に当接することにより、当該仕切体１の底面部６と箱１２の底面との間に衝撃緩衝空間Ｙが形成され、上下方向に衝撃が加えられた場合には、上記底面部６が上下に撓むことによって、衝撃を効果的に吸収・緩和することができる。
【００４８】
特に、当該仕切体１においては、外縁２の各中央部分が内側方向に傾斜していることにより、壁面部７が外側に倒れ込むことができるため、底支持部８の突出による底面部６の傾斜が保持される。その結果、球状の収納物Ｘは、重力及び自重によって箱１２の四隅に自然と偏るため、箱１２内での移動が規制され運搬等の際の収納物Ｘの移動を防止することができる。
【００４９】
上記箱１２は、段ボール箱であってもよいし、その他の紙製の箱又は例えばプラスチック製等、紙製以外の箱であってもよい。
【００５０】
上記箱１２の内寸Ａは、仕切体１における外縁２のうちの一辺の両端から各谷折り予定線４までの長さの和と略等しくなっており、例えば、当該仕切体１の内寸Ａは６０ｃｍ程度に形成されている。この箱１２の深さとしては、特に限定されず、収納物Ｘの大きさを考慮して適宜設定すればよい。例えば、当該仕切体１の深さは２０ｃｍ程度である。
【００５１】
なお、本考案の仕切体は上記実施形態に限定されるものではなく、例えば、底面部に形成される十字形の切り込みを放射状の切り込みとしてもよい。また、上記係合片の形状としては、図１の展開図に示すような扇形の他に、例えば半円状や凸状等としてもよい。
【産業上の利用可能性】
【００５２】
以上のように、本考案の仕切体は、商品同士の接触による傷付きや破損を防止することができ、上下方向のクッション性に優れ、箱内における収納物の転がりを抑制することができる。従って、当該仕切体を備える収納箱は、西瓜やメロン等の球状の果物を収納する収納箱として好適に用いることができる。
【符号の説明】
【００５３】
１  仕切体
２  外縁
３  内縁
４  谷折り予定線
５  山折り予定線
６  底面部
７  壁面部
８  底支持部
９  十字形の切り込み
１０  係合片
１１  収納箱
１２  箱
Ｘ  収納物
Ｙ  衝撃緩衝空間
Ｌ  底支持部の延出長さ
Ｌ１  谷折り予定線の延長線
Ｌ２  外縁の頂点と内縁の頂点とを結ぶ線
θ  底面部の傾斜角
【図１】
0003177073.tif 000003
【図２】
0003177073.tif 000004
【図３】
0003177073.tif 000005
【図４】
0003177073.tif 000006
【図５】
0003177073.tif 000007